(57)【要約】【課題】前歯から奥歯までの歯間を１本で容易に清掃を可能とした歯間ブラシを提供する。【解決手段】歯間ブラシ１は、本体部２と、この本体部２に配置した糸部３とから成り、本体部２は、後方が持手部である棒状体の柄部４と、この柄部４の前方の端部４ａから水平直角方向に延在する突出部５と、この突出部５よりも更に前方側の端部４ａから、突出部５の水平方向に対して垂直斜め方向に湾曲状に延在する一対の腕部６とから構成されている。一方の腕部６ａの先端部６ｂと、他方の腕部６ｃの先端部６ｄとを繋ぐように第１の糸部３ａが配置され、一方の腕部６ａの先端部６ｂと、突出部５の先端部５ａとを繋ぐように第２の糸部３ｂが配置されている。【選択図】図１
2019134843.tif 000002
【特許請求の範囲】
【請求項１】
柄部を有する本体部と、該本体部に配置した第１の糸部及び第２の糸部とから成る歯間ブラシであって、
前記第１の糸部及び前記第２の糸部は互いに異なる方向に配置されていることを特徴とする歯間ブラシ。
【請求項２】
前記第１の糸部及び前記第２の糸部は、直角状に配置されていることを特徴とする請求項１に記載の歯間ブラシ。
【請求項３】
前記第１の糸部は前記柄部の長手方向に対して、直交するように配置されており、前記第２の糸部は前記柄部の長手方向に対して、平行になるように配置されていることを特徴とする請求項１又は請求項２に記載の歯間ブラシ。
【請求項４】
前記本体部は、後方が持手部である棒状体の前記柄部と、該柄部の前方の端部から水平直角方向に延在する突出部と、前記突出部よりも更に前方側の前記端部から、前記突出部の水平方向に対して垂直斜め方向に延在する一対の腕部とから成ることを特徴とする請求項１〜３の何れか１項に記載の歯間ブラシ。
【請求項５】
前記一対の腕部の先端部間を繋ぐように前記第１の糸部を配置し、一方の前記腕部の前記先端部と前記突出部の先端部間を繋ぐように前記第２の糸部を配置したことを特徴とする請求項４に記載の歯間ブラシ。
【請求項６】
前記一対の腕部は先端にゆくにつれて、互いが離間することを特徴とする請求項４又は請求項５に記載の歯間ブラシ。
【請求項７】
前記第２の糸部は、前記突出部の水平方向に対して垂直斜め方向になるように配置したことを特徴とする請求項４〜６の何れか１項に記載の歯間ブラシ。
【発明の詳細な説明】
【技術分野】
【０００１】
本発明は、歯間の歯垢等の汚れを除去する歯間ブラシに関するものである。
【背景技術】
【０００２】
従来の歯間ブラシとして、特許文献１の図１に示す歯間ブラシのように糸張部間に糸部を接続したものが広く使用されている。この特許文献１の歯間ブラシは、前歯側の歯間の清掃においては使い易いが、奥歯側の歯間の清掃には、柄部と糸部とが平行であるため、角度的に歯間に挿入することが難しい。
【０００３】
そこで、特許文献２の図１に示す歯間ブラシのように、柄部の長手方向に対して糸部を垂直方向に配置したものが奥歯間の清掃に対して使用されている。しかし、特許文献２の歯間ブラシでは、前歯側の歯間の清掃に対しては、柄部を横から操作することになり、使用し難い。
【先行技術文献】
【特許文献】
【０００４】
【特許文献１】実用新案登録第３１１０８６９号公報
【特許文献２】特開２００３−９３４１３号公報
【発明の概要】
【発明が解決しようとする課題】
【０００５】
このように、前歯を清掃するときは、特許文献１で開示された歯間ブラシを使い、奥歯を清掃するときは、特許文献２で開示された歯間ブラシを使い分ける場合には、２本の歯間ブラシを交互に使用することになるので不便であった。
【０００６】
そこで、本発明の目的は、上述の課題を解決し、前歯から奥歯までの歯間を１個で容易に清掃を可能とした歯間ブラシを提供することである。
【課題を解決するための手段】
【０００７】
上記目的を達成するための本発明に係る歯間ブラシは、  柄部を有する本体部と、該本体部に配置した第１の糸部及び第２の糸部とから成る歯間ブラシであって、前記第１の糸部及び前記第２の糸部は互いに異なる方向に配置されていることを特徴とする。
【発明の効果】
【０００８】
本発明に係る歯間ブラシによれば、柄部に対して、第１の糸部及び第２の糸部を直角状に配置することで、第１の糸部は奥歯側の歯間の清掃に用い、第２の糸部は前歯側の歯間の清掃に用いることができる。従って、第１の糸部及び第２の糸部を使い分けることで、前歯から奥歯まで無理なく容易に清掃することが可能である。
【図面の簡単な説明】
【０００９】
【図１】歯間ブラシの斜視図である。
【図２】裏返した状態の歯間ブラシの斜視図である。
【図３】歯間ブラシの正面図である。
【図４】歯間ブラシの側面図である。
【発明を実施するための形態】
【００１０】
本発明を図示の実施例に基づいて詳細に説明する。
図１は、歯間ブラシの斜視図であり、図２は裏返した状態の斜視図であり、図３は正面図であり、図４は側面図である。歯間ブラシ１の大きさは、長さは長さ９ｃｍ程度、幅は２．８ｃｍ程度であり、子供用、大人用等の適宜のサイズを用意し、使用することができる。
【００１１】
この歯間ブラシ１は、本体部２と、この本体部２に配置した糸部３とから成り、本体部２は例えば硬質の合成樹脂製が用いられている。この本体部２に取り付けられる糸部３は、例えばナイロン製の糸材が用いられ、直径０．５ｍｍ程度である。
【００１２】
糸部３は１本の糸材であってもよいし、多数の細い糸材を複数本束ねたものであってもよい。多数の細い糸材を束ねる構造にすると、歯間を清掃した際に歯間の歯垢等の汚れが糸材間に挟まり易くなり、より多くの汚れを除去することが可能である。
【００１３】
歯間ブラシ１の本体部２は、後方が持手部である棒状体の柄部４と、この柄部４の前方の端部４ａから水平直角方向に延在する突出部５と、この突出部５よりも更に前方側の端部４ａから、突出部５の水平方向に対して垂直斜め方向に湾曲状に延在する一対の腕部６とから構成されている。
【００１４】
図３に示すように、糸部３を上にして歯間ブラシ１を見ると、突出部５は柄部４から左側に延在するように設けられている。これは、右利き用の歯間ブラシ１の突出部５の配置であり、左利き用に対しては突出部５を逆側の右側に延在するように設けてもよい。更には、突出部５を柄部４から左右両方向に延在させて、３つの糸部３を配置させるようにしてもよい。
【００１５】
Ｙ字状である一対の腕部６は、突出部５よりも更に前方側の端部４ａから、突出部５の水平方向に対して垂直斜め方向に湾曲状に延在している。更に、腕部６は柄部４に対して対称になるように配置され、先端にゆくにつれて、互いに離間する形状とされている。
【００１６】
一方の腕部６ａの先端部６ｂと、他方の腕部６ｃの先端部６ｄとを繋ぐように第１の糸部３ａが配置され、一方の腕部６ａと、突出部５の先端部５ａとを繋ぐように第２の糸部３ｂが配置されている。これらの第１の糸部３ａ及び第２の糸部３ｂは、それぞれ引っ張られた直線状の状態で本体部２に固定されている。
【００１７】
また、図３に示すように、歯間ブラシ１を正面から見ると第１の糸部３ａは、柄部４の長手方向に対して、直交するように配置されており、第２の糸部３ｂは柄部４の長手方向に対して、平行になるように配置されている。
【００１８】
従って、第１の糸部３ａ及び第２の糸部３ｂは直角状、つまり互いに垂直になるように配置されることになる。なお、第１の糸部３ａ及び第２の糸部３ｂは、必ずしも柄部４の長手方向に対して、直交及び平行になるように配置する必要はなく、第１の糸部３ａ及び第２の糸部３ｂは互いに異なる方向になるように配置してもよい。
【００１９】
また、図４に示すように、第２の糸部３ｂは、突出部５の水平方向に対して垂直斜め方向になるように配置されている。この斜め方向は、腕部６の湾曲方向と略一致している。
【００２０】
なお、第１の糸部３ａと第２の糸部３ｂとは１本の糸材で連結し、先端部５ａから先端部６ｄまで繋ぎ、先端部６ｂを経由するようにしてもよい。このような場合は、先端部６ｂに溝部又は孔部を設け、溝部に糸材を引っ掛けたり、孔部に糸材を通して１本の糸材を本体部２に固定することが好ましい。
【００２１】
Ｕ字状に並ぶ口内の上下の歯は、歯間ブラシ１の口内への進入方向に対して、奥歯側の歯は略並行に並び、前歯側の歯は略垂直に並んでいる。従って、歯間ブラシ１を使用する際は、奥側の歯に対しては、柄部４の長手方向に対して略垂直に配置された第１の糸部３ａを利用し清掃することになる。
【００２２】
第１の糸部３ａが下になるようにして、奥歯側の歯間に第１の糸部３ａを押し込んだ後に、上下に摺動させることで、奥歯側の歯間に溜まった汚れを容易に除去することができる。
【００２３】
続いて、前歯側の歯間を清掃する場合は、第２の糸部３ｂを利用して清掃することになる。右利きの利用者が口内に歯間ブラシ１を挿入する際は、柄部４を把持した右手は口に対して左寄りの位置で清掃することが多い。
【００２４】
これは、利用者にとって、脇を締めて歯間ブラシ１を使用する方が、脇を開けた状態で歯間ブラシ１を使用するよりも楽な姿勢となることから、脇を締めた状態では自然と歯間ブラシ１を把持した右手は、口に対して左寄りの位置になる。
【００２５】
このような場合、前歯側の歯間の清掃に対して、特許文献１に示した糸部が柄部と平行とされる歯間ブラシよりも、図４に示すように第２の糸部３ｂが若干斜めになっている方が清掃し易い。
【００２６】
つまり、口内へ斜めとなる歯間ブラシの挿入方向に対して、斜めに配置した第２の糸部３ｂを用いることで、前歯側の歯の並び方向の直交方向に第２の糸部３ｂが配置されることになる。これにより無理なく前側の歯間を清掃することができる。
【００２７】
そして、第２の糸部３ｂが下になるようにして、前歯側の歯間に第２の糸部３ｂを押し込んだ後に、上下に摺動させることで、歯間に溜まった汚れを容易に除去することができる。
【００２８】
歯間ブラシ１は衛生面から通常では使い捨てであり、上下に並んだ歯に対して、第１の糸部３ａ、第２の糸部３ｂにより上述のように歯間の汚れを一通り除去した後に廃棄することになる。
【００２９】
このように柄部４に対して、第１の糸部３ａ及び第２の糸部３ｂを直角状に配置することで、第１の糸部３ａは奥歯側の歯間の清掃に用い、第２の糸部３ｂは前歯側の歯間の清掃に用いることができる。そして、第１の糸部３ａ及び第２の糸部３ｂを使い分けることで、前歯から奥歯まで無理なく容易に清掃することが可能となる。
【符号の説明】
【００３０】
１  歯間ブラシ
２  本体部
３  糸部
３ａ  第１の糸部
３ｂ  第２の糸部
４  柄部
４ａ  端部
５  突出部
５ａ、６ｂ、６ｄ  先端部
６、６ａ、６ｃ  腕部
【図１】
2019134843.tif 000003
【図２】
2019134843.tif 000004
【図３】
2019134843.tif 000005
【図４】
2019134843.tif 000006
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
柄部を有する本体部と、該本体部に配置した第１の糸部及び第２の糸部とから成る使い捨ての歯間ブラシであって、
前記本体部は、後方が持手部である棒状体の前記柄部と、該柄部の前方の端部から水平直角方向に延在する突出部と、前記柄部の前記端部の更に前方の箇所から、前記突出部の水平方向に対して垂直斜め方向に延在する一対の腕部とから成り、
前記第１の糸部は、前記一対の腕部の先端部間を繋ぐように配置し、前記第２の糸部は、一方の前記腕部の前記先端部と前記突出部の先端部間を前記突出部の水平方向に対して垂直斜め方向に繋ぐように配置したことを特徴とする歯間ブラシ。
【請求項２】
前記第１の糸部及び前記第２の糸部は、直角状に配置されていることを特徴とする請求項１に記載の歯間ブラシ。
【請求項３】
前記第１の糸部は前記柄部の長手方向に対して、直交するように配置されており、前記第２の糸部は前記柄部の長手方向に対して、平行になるように配置されていることを特徴とする請求項１又は請求項２に記載の歯間ブラシ。
【請求項４】
前記一対の腕部は先端にゆくにつれて、互いが離間することを特徴とする請求項１〜３の何れか１項に記載の歯間ブラシ。
【請求項５】
前記突出部を前記柄部の前記端部から左右両方向に延在させて、他方の前記腕部の前記先端部と前記突出部の先端部間を前記突出部の水平方向に対して垂直斜め方向に繋ぐ第３の糸部を設けたことを特徴とする請求項１〜４の何れか１項に記載の歯間ブラシ。
【手続補正２】
【補正対象書類名】明細書
【補正対象項目名】０００７
【補正方法】変更
【補正の内容】
【０００７】
記目的を達成するための本発明に係る歯間ブラシは、柄部を有する本体部と、該本体部に配置した第１の糸部及び第２の糸部とから成る使い捨ての歯間ブラシであって、前記本体部は、後方が持手部である棒状体の前記柄部と、該柄部の前方の端部から水平直角方向に延在する突出部と、前記柄部の前記端部の更に前方の箇所から、前記突出部の水平方向に対して垂直斜め方向に延在する一対の腕部とから成り、前記第１の糸部は、前記一対の腕部の先端部間を繋ぐように配置し、前記第２の糸部は、一方の前記腕部の前記先端部と前記突出部の先端部間を前記突出部の水平方向に対して垂直斜め方向に繋ぐように配置したことを特徴とする。
【手続補正３】
【補正対象書類名】明細書
【補正対象項目名】００１３
【補正方法】変更
【補正の内容】
【００１３】
歯間ブラシ１の本体部２は、後方が持手部である棒状体の柄部４と、この柄部４の前方の端部４ａから水平直角方向に延在する突出部５と、柄部４の端部４ａの更に前方の箇所から、突出部５の水平方向に対して垂直斜め方向に湾曲状に延在する一対の腕部６とから構成されている。